(57)【要約】【課題】バッテリー駆動の際における種々の条件の変化によらず、安定した動作を可能とする。【解決手段】バッテリー駆動の液晶表示装置であって、バッテリー１と、バッテリー１からの出力電圧値ＶＭを検出する電圧検出回路２７と、バッテリー１の出力電圧を適正電圧に変換するレギュレータ回路３と、バッテリー１の出力に接続される駆動回路５と、バッテリー１からの供給電圧を、バッテリー１から直接駆動回路５に供給するか、レギュレータ回路３を通して供給するかを切り換えるスイッチ手段１５とを有し、電圧検出回路２７の出力電圧に応じてスイッチ手段１５を切り換える。【選択図】  図１
2004260931.tif 000002
【特許請求の範囲】
【請求項１】
バッテリー駆動の電子機器であって、
バッテリーと、
該バッテリーの出力電圧値を適正電圧に変換するレギュレータ回路と、
該バッテリーの出力に接続されるバックライト用の駆動回路と、
該バッテリーからの供給電圧を、該バッテリーから直接該駆動回路に供給するか、該レギュレータ回路を通して供給するか、を切り換えるスイッチ手段と、
該スイッチ手段を切り換える制御信号を出力する状態検出手段とを有することを特徴とするバッテリー駆動の電子機器。
【請求項２】
バッテリー駆動の液晶表示装置であって、
バッテリーと、
該バッテリーからの出力電圧値を検出する電圧検出回路と、
該バッテリーの出力電圧値を適正電圧に変換するレギュレータ回路と、
該バッテリーの出力に接続されるバックライト用の駆動回路と、
該駆動回路により駆動される液晶用バックライトと
該バッテリーからの供給電圧を、該バッテリーから直接該駆動回路に供給するか、該レギュレータ回路を通して供給するか、を切り換えるスイッチ手段とを有し、
前記電圧検出回路から出力する制御信号によって、前記スイッチ手段を切り換えることを特徴とするバッテリー駆動の液晶表示装置。
【請求項３】
バッテリー駆動の液晶表示装置であって、
バッテリーと、
該バッテリーの出力電圧値を適正電圧に変換するレギュレータ回路と、
該バッテリーの出力に接続されるバックライト用の駆動回路と、
該駆動回路により駆動される液晶用バックライトと、
該液晶用バックライトのランプ電流値を検出する電流検出回路と、
該バッテリーからの供給電圧を、該バッテリーから直接該駆動回路に供給するか、該レギュレータ回路を通して供給するか、を切り換えるスイッチ手段とを有し、
前記電流検出回路から出力する制御信号によって、前記スイッチ手段を切り換えることを特徴とするバッテリー駆動の液晶表示装置。
【請求項４】
バッテリー駆動の液晶表示装置であって、
バッテリーと、
該バッテリーの出力電圧を適正電圧に変換するレギュレータ回路と、
該バッテリーの出力に接続されるバックライト用の駆動回路と、
該駆動回路により駆動される液晶用バックライトと、
該液晶用バックライトの周辺温度を検出する温度モニタと、
該温度モニタからの出力信号値を検出し制御信号を出力する電圧検出回路と、
該バッテリーからの供給電圧を、該バッテリーから直接該駆動回路に供給するか、該レギュレータ回路を通して供給するか、を切り換えるスイッチ手段とを有し、
前記電圧検出回路から出力する制御信号によって、前記スイッチ手段を切り換えることを特徴とするバッテリー駆動の液晶表示装置。
【請求項５】
バッテリー駆動の液晶表示装置であって、
バッテリーと、
該バッテリーの出力電圧値を適正電圧に変換するレギュレータ回路と、
該バッテリーの出力に接続されるバックライト用の駆動回路と、
該駆動回路により駆動される液晶用バックライトと、
該液晶用バックライトの周辺温度を検出する温度モニタと、
該温度モニタからの出力信号値を検出し制御信号を出力する電圧検出回路と、
該バッテリーからの供給電圧を、該バッテリーから直接該駆動回路に供給するか、該レギュレータ回路を通して供給するか、を切り換えるスイッチ手段とを有し、
該温度モニタにより測定された温度と、少なくとも前記液晶用バックライトのランプの輝度又はランプの放電開始電圧のいずれか一方または両方の温度特性とに基づいて前記電圧検出回路から出力する制御信号によって、前記スイッチ手段を切り換えることを特徴とするバッテリー駆動の液晶表示装置。
【請求項６】
前記液晶用バックライトの周囲温度に対するランプの輝度又はランプの放電開始電圧のいずれか一方または両方の温度特性を記憶する記憶手段を有する請求項５に記載の液晶表示装置。
【請求項７】
バッテリー駆動の液晶表示装置であって、
バッテリーと、
該バッテリーからの出力電圧値を検出する電圧検出回路と、
該バッテリーの周辺温度を検出する温度モニタと、
該バッテリーの出力電圧値を適正電圧に変換するレギュレータ回路と、
該バッテリーの出力に接続されるバックライト用の駆動回路と、
該駆動回路により駆動される液晶用バックライトと、
該バッテリーからの供給電圧を、該バッテリーから直接該駆動回路に供給するか、該レギュレータ回路を通して供給するか、を切り換えるスイッチ手段とを有し、
該温度モニタにより測定された温度と、前記バッテリーの出力電圧とを前記電圧検出回路に入力し、それぞれの入力情報をもとに前記電圧検出回路で温度特性に基づくバッテリー残容量を求め、前記電圧検出回路から出力する制御信号に応じて、前記スイッチ手段を切り換えることを特徴とするバッテリー駆動の液晶表示装置。
【請求項８】
前記バッテリーの放電容量又は放電時間とバッテリー電圧との間の温度特性を記憶する記憶手段を有する請求項７に記載の液晶表示装置。
【請求項９】
少なくとも複数のバッテリーを有し、
前記駆動回路に接続されているバッテリーの残容量が一定値以下になると、前記駆動回路への出力を前記バッテリーから前記別のバッテリーに切り換えるスイッチ手段を有することを特徴とする
請求項１から８までのいずれか１項に記載の液晶表示装置。
【請求項１０】
前記バッテリーと前記レギュレータと前記スイッチ手段の組みをそれぞれ複数組有する請求項１から９までのいずれか１項に記載の液晶表示装置。
【発明の詳細な説明】
【０００１】
【発明の属する技術分野】
本発明は、バッテリーを電源として用いたバッテリー駆動の電子機器、特に液晶表示装置を備えたバッテリー駆動の電子機器に関する。
【０００２】
【従来の技術】
従来、バッテリーを電源として用いた携帯用電子機器、特に液晶表示装置を備えた携帯用電子機器においては、液晶表示用バックライトの駆動回路とバッテリーとを直結している。一般的に、液晶テレビなどにおいては、消費電力の５０から６０％がバックライトにより消費される。従って、バックライトによる電力消費が特に問題となる。
【０００３】
図１３（ａ）は一般的なバッテリー駆動の液晶表示装置の構成例を示す機能ブロック図である。同図（ｂ）は図１３（ａ）でバッテリーと駆動回路とバックライト部の動作を説明する概略図であり、液晶表示用バックライトでは駆動回路に印加された直流電圧を駆動回路によって高周波電圧に変換しバックライトに用いられる例えばランプを点灯するようにしている。
【０００４】
図１３（ａ）に示す液晶表示装置は、バッテリー１２１と、レギュレータ回路１２３と、駆動回路１２５と、バックライト１２７と、液晶表示部１３１とを有している。バックライト用の駆動回路１２５へは、レギュレータ１２３を介して電圧が調整された後に電圧が印加されている。レギュレータ１２３を介して電圧を印加することにより、駆動回路１２５に対して一定電圧を印加することができる。
【０００５】
図１２は、他の液晶表示装置の構成を示すブロック図である。図１２に示すように、特開平４−１５２７７６号公報に記載の液晶表示装置は、電源回路１０１と、バッテリー１０２と、ＶＴＲ部１０５と、液晶表示部１０６と、バックライト１０７と、点灯回路１０８とを有している。さらに、ＶＴＲ部１０５、液晶表示部１０６および点灯回路１０８に対して電源回路１０１又はバッテリー１０２のいずれかの電圧を選択的に印加するためのスイッチ１３１を備えている。同公報に記載の装置によれば、ＶＴＲ部１０５、液晶表示部１０６および点灯回路１０８に対して印加される電圧がスイッチ１３１により電源回路１０１からバッテリー１０２に切り換えられた場合に、バッテリー１０２と点灯回路１０８との間にスイッチングレギュレータ１０４が介在するようにスイッチ１３２により変更される。電源回路１０１駆動の際には、点灯回路１０８にはレギュレータ１０４を介さずに電圧が供給され、バッテリー１０２による駆動に切り換わると、点灯回路１０８にはレギュレータ１０４により下げられた印加電圧が供給される。バッテリー駆動の際に点灯回路１０８に印加する駆動電圧を低くすることにより、バッテリー動作時のバッテリー持続時間を長くすることができる（例えば特許文献１参照）。
【０００６】
【特許文献１】
特開平４−１５２７７６号公報
【０００７】
【発明が解決しようとする課題】
図１３（ａ）に示すように、バッテリーと駆動回路との間にレギュレータが介在し常にレギュレータを介して電圧が供給されるように構成すると、通常２０％程度の電力がレギュレータにより損失する。また、実質的にはバッテリーの出力電圧エネルギーの約８０％程度を駆動回路とバックライトが消費する上、レギュレータを介在することによる電源の効率低下がもたらす電力損失によりバッテリーの消耗が大きくなるという問題があった。
【０００８】
また、図１２に示すようにバッテリー駆動に切り換えた際にのみレギュレータを介して低電圧を駆動回路（点灯回路）に印加する場合はバッテリーに切り換わると同時にバックライトの輝度が低下し画面上の輝度変化により違和感が生じる問題があった。
【０００９】
また、バックライトの輝度はその周囲温度により大きく変化するとともに、バッテリーの放電容量もその周囲温度により変化する。従って、周囲温度に応じた効率的なバックライト駆動が要望されていた。
【００１０】
また、バッテリーの電圧状態を監視しないで切り換わるようにすると、不良バッテリーや放電し切ったバッテリーであった場合にバッテリー電圧の急激な低下により、バックライトの蛍光管が突然点灯しなくなったり、急激な輝度不足になったりするなどの問題もある。
【００１１】
本発明の目的は、バッテリー駆動の電子機器において、バッテリー側の原因や周囲温度の変化によりバッテリーの使用時間が短くなる点やバックライトの蛍光管が突然点灯しなくなる点、急激な輝度不足になる点を解決し、安定した動作を確保することを目的とする。
【００１２】
【課題を解決するための手段】
本発明の一観点によれば、バッテリーと該バッテリーの出力電圧値を適正電圧に変換するレギュレータ回路と、該バッテリーの出力に接続されるバックライト用の駆動回路と、該バッテリーからの供給電圧を、該バッテリーから直接該駆動回路に供給するか、該レギュレータ回路を通して供給するかを切り換えるスイッチ手段と、該スイッチ手段を切り換える制御信号を出力する状態検出手段とを有することを特徴とするバッテリー駆動の電子機器が提供される。
【００１３】
これにより駆動回路に入力される電圧を、バッテリーの出力電圧値が一定以上高い動作期間においてはバッテリー直結で供給し、バッテリーの出力電圧値が一定以下に下がった時点からレギュレータを介して供給することで、バッテリーの使用効率を高めるとともに、バッテリーの出力電圧低下が大きくなってきても放電の開始電圧に近い値を保持することができる。
【００１４】
本発明の他の観点によれば、さらにバッテリーからの出力電圧値を検出する電圧検出回路と該駆動回路により駆動される液晶用バックライトとを有し、該電圧検出回路から出力する制御信号に応じて、バッテリーからの供給電圧を、該バッテリーから直接該駆動回路に供給するか、該レギュレータ回路を通して供給するかを切り換えるスイッチ手段の切り換えを行うことを特徴とするバッテリー駆動の液晶表示装置が提供される。
【００１５】
これによりバッテリーの出力電圧低下が大きくなってきても放電の開始電圧に近い値を保持し、バックライトの輝度低下による液晶画面上の輝度変化を低減することができる。
【００１６】
さらに、液晶用バックライトのランプ電流値を検出する電流検出回路を有し前記電流検出回路から出力する制御信号に応じて、スイッチ手段を切り換えることを特徴とするバッテリー駆動の液晶表示装置や、液晶用バックライトの周辺温度を検出する温度モニタと、該温度モニタからの出力信号値を検出し制御信号を出力する電圧検出回路と、該バッテリーからの供給電圧を、該バッテリーから直接該駆動回路に供給するか、該レギュレータ回路を通して供給するかを切り換えるスイッチ手段とを有し、前記電圧検出回路から出力する制御信号によって、前記スイッチ手段を切り換えることを特徴とするバッテリー駆動の液晶表示装置が提供される。
【００１７】
これにより、液晶用バックライトのランプ電流値がバッテリーの低下により減少すること又は液晶用バックライトの周辺温度を検出することにより、バッテリー電圧の低下と温度特性を合わせて補償することにより液晶用バックライトの輝度の低下を防ぐことができる。
【００１８】
このように、本発明によれば、バッテリー駆動の電子機器において、バッテリー側の原因や周囲温度の変化によりバッテリーの使用時間が短くなる点やバックライトの蛍光管が突然点灯しなくなる点、急激な輝度不足になる点を解決し、安定した動作を確保することができる。
【００１９】
【発明の実施の形態】
本発明の実施の形態について説明する前に、発明者の行った考察についてまず説明する。発明者は、例えば、携帯型の液晶テレビジョン装置（以下「ポータブル液晶テレビ」と称する。）などのバッテリー駆動の電子機器において、レギュレータ回路（電圧保障回路、以下「レギュレータ」と称する。）を使用することによる電力損失をできるだけ少なくするとともに、バッテリー電圧が低下してきた場合でも、ポータブル液晶テレビの動作がシャットダウンする電圧値までバックライトの蛍光管を点灯させつづけ、かつ、液晶テレビの輝度を一定に保つことが、利用者にとって重要であると考えた。
またポータブル液晶テレビを、利用者が望む一定の短時間のみ輝度を一定に保つことが、利用者にとって利便性が高いと考えた。
この課題を解決するため液晶テレビジョン装置における消費電力の多くを消費しているバックライト駆動の制御方法に着目した。
【００２０】
例えば、図１３（ｂ）のブロック図に示すように、バックライト駆動装置では、入力された直流電圧をバックライト用駆動回路に印加し、該駆動回路で昇圧トランス等を用いて例えば１ｋｖ以上の交流電圧にＤＣ−ＡＣ変換し、該交流電圧をバックライト用ランプに印加する。ここでバックライトの輝度は該交流電圧値の大きさや周波数およびその印加期間及び電流値等の要素によって変化する。
【００２１】
よって、駆動回路に印加する直流電圧を一定電圧で常時供給できればバックライトの輝度は一定に維持され好ましいが、バッテリー駆動の場合は供給する直流電圧値の変動が大きい。そこで、バックライト駆動回路に供給されるバッテリーの直流電圧値を検出し、検出したバッテリー電圧値に基づいて、それを一定化させる（電圧低下を防ぐ）ためにレギュレータを用いることを考えた。例えば、バッテリーの電圧がある値以下になると、レギュレータ回路により電圧を上記一定値まで上げることを考えた。ポイントは、バッテリー電圧（又は、ランプ電流、温度、等の外的要因）に応じて、バックライト用の駆動回路（インバータ回路）を、１．レギュレータなしで直接駆動するか、２．レギュレータを介して駆動するか、のいずれかの選択肢（２つの選択肢）を設けたことである。また、バックライトの輝度は温度依存性が大きい特性を有している。例えばポータブル液晶テレビを外気温の低い室外で使用する時のように温度が極端に低くなった場合などにおいて例えば周囲温度が１０℃程度の場合には、常温（２５℃）時に比べてバックライトの輝度が１／２程度と暗くなるため、電力供給源を強制的にレギュレータ側に切り換えてバックライトの輝度を明るくするのが好ましい。ポータブル液晶テレビの場合には、携帯性も重要視されるので極端に温度が低くなる環境（室外）で用いる場合も多い。このような場合には、使用の当初から電力供給源をレギュレータ側に切り換えて、バッテリーやバックライトの温度特性（輝度低下）に係わらず、輝度を明るくすることができる。
【００２２】
例えば図２は、バッテリーを電源としてポータブル液晶テレビを使用した場合のバッテリー電圧（Ｖ）の経時変化に対する放電特性例である。図２に示すように、バッテリーをバッテリー充電器（図示しない）により満充電電圧Ｖｏまで充電した後で使用した場合、バッテリーの電圧降下特性は満充電電圧Ｖｏに近い値である基準値Ｖ１までを維持する領域と、基準値Ｖ１よりも低下する領域とに大別できる。例えば、バッテリー電圧がＶｏから徐々に放電しＶ１に近い範囲においては、バッテリーを駆動回路（インバータ）に直結させ、基準値Ｖ１より低下する領域では、電力供給源をレギュレータに切り換えると良い。このような制御手段を用いることにより機器のシャットダウン電圧Ｖ２まではバックライトの輝度をほぼ一定に保つことが可能である。上記考察に基づいて、本発明の実施の形態について図面を参照して説明する。尚、以下の実施の形態において、液晶テレビのうち、テレビチューナ部やアンテナ部、チャネルスイッチ部などは、一般的な液晶テレビと同様であるため、その構成については省略し、バッテリーと液晶表示部とに関連する構成について説明する。
【００２３】
まず、本発明の第１の実施形態によるポータブル液晶テレビについて、図１を参照して説明する。図１は、本実施の形態による液晶テレビの一部構成を示す図である。図１に示すように、本発明の第１の実施の形態による液晶テレビは、例えば直流電圧を供給するバッテリー１と、バッテリーからの該直流電圧を入力し適正な直流電圧に変換して出力するレギュレータ３と、駆動回路５と、バックライト７と、液晶表示部（液晶パネル）１１と、スイッチ１５と、状態検出手段である電圧検出回路２７とを有している。スイッチ１５は、バッテリー１からバックライト７を点灯するために必要な駆動電圧を生成する駆動回路５への接続をポイント１５ａとポイント１５ｂとの間で切り換えることにより、バッテリー１から駆動回路５への直接電圧と、レギュレータ３を介した間接電圧Ｖｄ１とのいずれを印加するかを選択する。レギュレータ３は、バッテリー１の電圧が低下した場合に、その電圧低下分に応じた電圧値を補償し一定電圧Ｖｄ１まで昇圧する。電圧検出回路２７は、バッテリー１の出力電圧をモニタリングする。
【００２４】
一般的に、バッテリーは、満充電された後のように電力供給能力が充分あるときはその出力電圧を高く維持するが、放電が進むと徐々に電圧が低下し、放電時間が長くなるにつれその放電特性の降下の傾斜が大きくなってくる。電圧検出回路２７はバッテリー電圧の低下を検出しており、所定の電圧値（Ｖ１）を検出すると、スイッチ１５に対して、スイッチ切り替え命令を含む信号電圧Ｖｃ１を出力する。この時点で、駆動回路５に対しては、バッテリー１からレギュレータ３を介して昇圧された間接電圧Ｖｄ１であって電圧値として図２のＶｏ〜Ｖ１とほぼ同等の値を有する電圧が印加されることになる。
【００２５】
従って、バッテリー１からの出力電圧が低下しても、駆動回路５に供給される電圧がほぼ一定に保たれ、バックライト７の輝度低下を補償できる。そのため、ユーザは、液晶テレビにおいて、バッテリー電圧が低下して機器の動作がシャットダウンする所定電圧（Ｖ２）までは常に明るい表示画面を鑑賞することができるという利点がある。
また、バッテリー１からの出力電圧が低下するＶ１までは、レギュレータ３を介さずにバッテリー１から直接電圧が印加されるが、この期間の電圧降下は小さいために駆動回路５に供給される電圧低下の割合は少ない。このためユーザは視覚的にバックライト７の輝度変化を緩やかに認識するため、ポータブル液晶テレビの画面の明るさ変化は小さい。またレギュレータ３に切り換えるまでの時間をできるだけ長く維持することにより電力損失を少なくできるため、電力の使用効率が良くなりバッテリー１の駆動時間を長くすることができる。
【００２６】
次に、本発明の第２の実施形態による液晶テレビについて図面を参照して説明する。図３は、本実施例による液晶テレビの一部構成を示す概略構成図である。本実施例によるポータブル液晶テレビにおいては、状態検出手段として図１に示す電圧検出回路２７の代わりに電流検出回路３３であって、その内部にバックライト１７を流れるランプ電流Ｉ１の状態変化を検出する検出手段を有している。
【００２７】
本実施例によるポータブル液晶テレビは、バッテリー電圧が低下すれば駆動回路２５に入力する直流電圧Ｖｄ３が低下するため、それに応じて駆動回路で生成される交流電圧値のダイナミックレンジが低下する。よってバックライトに印加される交流電圧値も低下しバックライトを流れるランプ電流値が減少することに注目する。ここでは、バックライト１７の輝度と対応関係を有するランプ電流Ｉ１を例えばバックライト１７と直列接続された電流検出抵抗（図示しない）で検出する。このランプ電流Ｉ１の変化に応じた電圧降下分を検出電圧として電流検出回路３３で作成しスイッチ２６に制御電圧Ｖｃ３を出力し、スイッチ２６をレギュレータ２３側へ切り換える。このときレギュレータ２３はバッテリー電圧からの入力電圧を一定の電圧値に変換して供給するので、駆動回路２５の入力には電圧補償された一定の直流電圧Ｖｄ３が印加される。
【００２８】
上記構成によれば、バックライト１７のランプ電流Ｉ１が一定値以下に低下してきたら、バッテリー２１の出力をレギュレータ回路２３側に切り換えて駆動回路２５へ入力する直流電圧を高くするためバックライト１７に出力される駆動電圧がほぼ一定に保たれ、バックライト１７の輝度の低下を補償できる。そのためユーザは、ポータブル液晶テレビにおいて、バッテリー電圧の低下に係わらず常に明るい表示画面を鑑賞することができるという利点がある。
【００２９】
次に、本発明の第２の実施の形態の第１変形例による液晶テレビについて図面を参照して説明する。図４は、本変形例による液晶テレビの一部構成を示す概略構成図であり、図３に対応する図である。本変形例による液晶テレビにおいては、図３に示す電流検出回路３３の代わりに状態検出手段として電圧検出回路２７を有している。電圧検出回路２７は、液晶表示部３１のバックライト１７側又はバックライト１７内に設けられた温度モニタから、温度変化と相関のある検出信号Ｓ１を入力し、この温度変化に応じた電圧値を作成し、制御信号Ｖｃ４を出力する。
【００３０】
ここで、図６は液晶のバックライトに用いられるランプの周囲温度変化に対するランプの輝度及び放電開始電圧の典型的な温度特性を示す図である。図６に示すように、ランプの輝度は、周囲温度による依存性を有する。周囲温度２０℃を１００％とした場合に、周囲温度がそれよりも下がると同じ放電開始電圧におけるランプ輝度は急激に低下し、０℃においては２５％程度になる。一方、２０℃以上の周囲温度においては、３５℃において１２５％の最大値を有し、それ以上の周囲温度ではランプ輝度が徐々に低下する。従って、放電開始電圧を周囲温度に応じて調整することにより、ランプ輝度を一定に保つことができると考えられる。
【００３１】
尚、図６に示すように、ランプの輝度は周囲温度が０度から３０度近辺の範囲においてはほぼ比例関係の特性を示すので、本変形例による液晶テレビは、バックライト１７の輝度と対応関係を有するバックライト１７の照射熱による温度変化を検出する。そしてその温度変化に対応した電圧値を検出すると、電圧検出回路２７からスイッチ２６に対して制御電圧Ｖｃ４を出力し、スイッチ２６により、バッテリー２１による駆動回路２５の直接駆動と、レギュレータ２３を介しての駆動回路２５の駆動とを切り換える。ここで、レギュレータ２３はバッテリー電圧からの入力電圧を一定の電圧値に変換して供給するので、駆動回路２５の入力には電圧補償された一定の直流電圧Ｖｄ４が印加される。
【００３２】
例えば、バッテリー電圧の低下を伴うとともに、周囲温度が２０度程度以下の環境でポータブル液晶テレビのつけ始め（電源ＯＮ時）のように、バックライト１７の周囲温度とランプ輝度が比例関係に変化するような場合は、電源ＯＮ時のバックライト１７の周囲温度が低い時から一定時間経過した後のようにバックライト１７の周囲温度が高くなってきた時とで画面の輝度変化が大きくなり、ユーザが違和感を感じる。このような場合は、所定の温度範囲のみレギュレータ側へ強制的に切り替え、バックライト１７の周囲温度が所定の温度より高くなった時点でスイッチ２６をバッテリー直結に戻すような使い方も可能である。
【００３３】
このように、液晶表示部３１周辺の温度を温度モニタで測定する手段と、バッテリー電圧の低下にかかわらず一定電圧を出力するレギュレータ手段とを組み合わせて駆動回路２５から出力される駆動電圧をほぼ一定に保つようにすればバックライト１７の輝度が低下することがない。そのため、ユーザは、ポータブル液晶テレビにおいて、常に明るい表示画面を鑑賞することができるという利点がある。尚、図４の例では、温度モニタ３５をバックライト側又はその内部に設けたが、バックライトと液晶表示部は一般に近接した位置に設けられるため、温度モニタを液晶表示部側へ設けてもよい。
【００３４】
尚、温度モニタの代わりに又は温度モニタに加えてバックライト１７の照度を検出する照度計を設けても良い。照度計によりバックライト１７の照度を検出し、バックライト１７の照度に応じてレギュレータへの印加電圧Ｖｃ４を調整することにより、液晶表示部３１の輝度をほぼ一定に保つことができる。
【００３５】
図５は、本発明の第３の実施形態によるポータブル液晶テレビの一部構成を示す概略構成図である。図５に示すように、本実施の形態による液晶テレビにおいては、状態検出手段として電圧検出回路２７を設けるが、液晶表示部３１のバックライト１７側又はバックライト１７内には、バックライト１７の周囲温度を測定するための温度モニタ４５が設けられている。この温度モニタ４５からの出力信号であって、バックライト１７の周囲温度と関連する検出信号Ｓ２が電圧検出回路２７に入力する。ここで、該電圧検出回路２７中には図６に示すようなバックライト用ランプの温度特性を記憶したＲＯＭを有している。温度モニタにより測定されたバックライト１７の周辺温度と、ＲＯＭ内に記憶されている図６に示すランプ輝度と放電開始電圧の周囲温度依存性とから、現在の状態に適したランプ駆動電圧を求め、バッテリー電圧の低下と合わせてバックライトの周囲温度に適したランプ駆動電圧が得られるように、スイッチ３６をレギュレータ２３側に切り換え駆動回路２５へ供給される電圧Ｖｄ６を調整する。
【００３６】
図５の実施例においても、電圧検出回路２７からの出力電圧Ｖｃ６がスイッチ３６に入力し、該スイッチ３６はバッテリーからの直接入力とレギュレータからの入力の２つの入力系統を有し、これら２つの入力系統は電圧検出回路２７からの出力電圧Ｖｃ６の値に応じて、いずれかに切り換えられる。
【００３７】
本実施例による液晶テレビにおいては、バックライト（ランプ）の温度特性を記憶したＲＯＭを有しているため、スイッチに入力する電圧を簡単に求めることができ、また、ＲＯＭ内の記憶データを書き換えれば、異なる種類のランプあるいはバックライトを用いた場合にも柔軟に対応できるという利点がある。
【００３８】
尚、温度モニタの代わりに又は温度モニタに加えてバックライト１７の照度を検出する照度計を設けても良い。照度計によりバックライト１７の照度を検出し、バックライト１７の照度に応じてＲＯＭ内に記憶されたデータに基づいてレギュレータ２３の出力電圧を調整するとともに、スイッチ３６への切換判断情報を的確に提供することができる。ここで、レギュレータ２３はバッテリー電圧からの入力電圧を一定の電圧値に変換して供給するので、駆動回路２５の入力には電圧補償された一定の直流電圧Ｖｄ６が印加される。
【００３９】
次に、本発明の第４の実施形態による液晶テレビについて図７を参照して説明する。図７に示すように、本実施例による液晶テレビの電圧検出回路２７には、記憶装置（ＲＯＭ）３８が設けられている。該ＲＯＭ３８は図８（ａ：バッテリーの放電容量とバッテリー電圧との温度特性），（ｂ：バッテリーの放電時間とバッテリー電圧値との温度特性）の例に示すバッテリー２１の放電温度特性を記憶しており、温度モニタ４１により測定されたバッテリーの周辺温度と、ＲＯＭ３８内に格納された放電温度特性とに基づいて、レギュレータ２３を適切に切り換えるようにしている。
【００４０】
本実施例による液晶テレビにおいては、上述のようなバッテリー２１の放電温度特性を記憶したＲＯＭを有しているため、電圧検出回路２７からの出力電圧Ｖｃ５によりスイッチ４６を介しての駆動回路２５への電力供給を切り換えるタイミングを正確かつ簡単に求めることができるという利点がある。
【００４１】
尚、バッテリー２１の残容量は、図８（ａ）の放電温度特性より、バッテリーの端子電圧（あるいは放電電流）と周囲温度との関係から予測して計算することができる。よって、例えばある時点における周囲温度とバッテリー電圧値とからバッテリー２１の残容量をもとに予め決められた特定の短時間（例えば数十分〜１時間程度）だけ、レギュレータを介して駆動回路に一定電圧を供給させることも可能である。例えばユーザが自分の家の庭先にポータブル液晶テレビを持ち出し、希望する例えば数十分間のみバッテリー駆動できれば良いような条件ではバックライトの輝度を、バッテリー２１の残容量内で最大輝度になるように一定に（明るく）保持するように設定することも可能である。
【００４２】
次に、本発明の第５の実施形態による液晶テレビについて図９を参照して説明する。図に示すように、本実施の形態による液晶テレビは、第１及び第２の２つのバッテリー５１、５２を有している。いずれのバッテリーを用いるかは、スイッチ５５により選択可能になっている。電圧検出回路２７は、第１のバッテリー５１と第２のバッテリー５２とのそれぞれの出力電圧ＶＭ１１とＶＭ１２とのうち少なくとも現在使用中のバッテリーの出力電圧を検出し、その出力電圧に基づいて、駆動回路２５からの出力電圧がほぼ一定になるように、スイッチ５６に制御電圧Ｖｃ７を供給し、バッテリーからの電力供給とレギュレータ５３を介しての電力供給とのいずれかに切り換える。例えば、第１のバッテリー５１の電圧が図２のシャットダウン電圧Ｖ２近くまで低下するとシャットダウン動作となる前にスイッチ５５を用いて第２のバッテリー５２へと接続を切り換える。これにより、何れかのバッテリー容量の急激な低下が生じてもポータブル液晶テレビの動作を長時間継続させることができるという利点がある。
【００４３】
尚、図９の実施例ではバッテリーを２個用いた例であるがバッテリーを２個以上用いて順番に切り換えることによりさらに長時間動作も可能である。あるいは、第一及び第二のバッテリーの使用順序を互いのバッテリーの電池容量が極力均等に減るように、両者を交互に使い分けても良い。例えば、バッテリー１と２からの出力電圧ＶＭ１１とＶＭ１２を入力値とする比較器をスイッチ５５あるいは電圧検出回路２７のいずれかに内蔵させて、その比較器からの比較結果を基にスイッチ５５を切り換える構成を考える。そして両電圧値の差分が一定値に達した場合毎に比較器の信号を切り換えることによって、スイッチ５５が切り換わり、第１、第２のバッテリーを切り換える方法も考えられる。これにより、点灯開始時からバッテリー２本分の放電終了時までを通して、画面上の極端な輝度変動を起こすことのない液晶表示装置を提供できる。
【００４４】
次に、本発明の第６の実施形態による液晶テレビに一部構成について図面を参照して説明する。図１０は、本実施の形態による液晶テレビの構成例を示す図である。図１０に示すように、本実施の形態による液晶テレビは、１つのバッテリー（６１、６２）とレギュレータ回路（６３、６４）１つとを１組とし、これらの組を複数（図１０では２組であるが２組以上でもよい）用意した電源回路の組（６１，６３又は６２，６４）に対して１つの駆動回路（インバータ回路）２５を接続し、使用するバッテリーの電圧を電圧検出回路２７により検出し、バッテリーの低下に応じて複数の電源回路（６１，６３又は６２，６４）中から実際に駆動回路２５を介してバックライト１７に電圧を印加する電源回路をスイッチ６７により切り換える（Ｖｃ８とＶｃ９とで）ことも可能である。このように複数のバッテリーとレギュレータを適宜切り換えることにより同一種類あるいは異なる種類のバッテリーを併用し、長時間明るい画面で液晶テレビを楽しむことができる。
【００４５】
尚、本実施の形態による技術は、上記第１から第４までの各実施の形態による液晶テレビに適用可能である。もちろん、バッテリーの個数は２つ以上であれば、実用的な範囲内でその個数は限定されるものではない。また、一方をバッテリー容量の大きい主バッテリーとし、他方を副バッテリー、すなわちレスキュー用の小容量バッテリー又は予備電池とすれば、本実施の形態による液晶テレビのように最後まで電圧を低下させない構成をとることにより電力消費が大きく、急激にバッテリー容量が減少した場合でも、副バッテリーにより短時間駆動を維持し、その間に主バッテリーを交換するようにすれば液晶テレビの駆動を途中で中断することなく視聴することができる。
【００４６】
次に、本発明の第７の実施の形態による液晶テレビの構成について図１１を参照して説明する。図１１は、図１に例示した本実施の第１実施形態よる液晶テレビの構成例を用いて、駆動回路に供給する直流電源を交流電源からＡＣアダプター３９を介して供給するか、バッテリーから供給するかを切り換えるスイッチ７５（マイコン３７により切替えを行う。）を設けた一例を示す。図１１に第１の実施の形態に適用した例を示したが、上記第２から第６までの各実施の形態による液晶テレビにも図１１の構成を適用することが可能である。
【００４７】
図１１に示す実施形態によれば、電源供給事情に対応してマイコン３７の指示により駆動回路に供給する電源を、ＡＣ電源３９とバッテリー１とを適宣切り換えて使用することができる。
【００４８】
尚、以上述べた実施例では、電圧検出回路や電流検出回路で作成した制御信号をバッテリー直結とレギュレータ側とを切り換えるスイッチ手段の切り換えのみに用いたが、スイッチの切り換えと同時に該制御信号をレギュレータにも送り、該レギュレータで発生する直流電圧値を種々の環境条件に応じて変えるように制御することも可能である。
【００４９】
また、バックライトの調光方式としては、電圧調光、デューティー調光又は電流調光などの方式があるが、本実施の形態による液晶テレビに関しては、いずれの調光方式に対しても適用可能であることは言うまでもない。
また、バックライトとしてランプを用いて説明したが、本考案は例えばＬＥＤを用いたバックライト装置にも応用できることは明らかである。
【００５０】
さらに、本実施の形態においては、携帯用の液晶テレビを例にして説明したが、その他、ノート型パーソナルコンピュータ（ＰＣ）や携帯電話などの液晶表示装置を備えたバッテリー駆動の電子機器にも適用できる。さらに、液晶表示装置を備えていない携帯用電子機器であって、バッテリー駆動の電子機器にも応用可能である。加えて、ＡＣ駆動とバッテリー駆動の両方を切り換えて使用するようにし、バッテリー駆動の時に本実施形態の手段を用いることもできる。以上、各実施の形態による液晶テレビについて、具体的に説明したが、上記実施の形態に限定されるものではなく、様々な変形が可能であることはいうまでもない。
【００５１】
【発明の効果】
以上、本発明による電子機器においては、バッテリー駆動の際における種々の条件の変化によらず、安定した動作を可能とし、かつ、バッテリー使用効率も良好となる。また、本発明による液晶表示装置によれば、バッテリーから供給される電圧値、使用温度やバックライトを流れる電流値に基づいてバックライト駆動回路に供給する駆動電圧を、バッテリー直結駆動かレギュレータを介して駆動するかを適宣に切り換えて制御することができるので、バッテリーの使用時間を長くすることができるとともにバッテリー電圧の低下に係わらず画面の輝度変化を抑制した高画質の液晶表示装置を提供することができる。
【図面の簡単な説明】
【図１】本発明の第１の実施形態による液晶テレビの一部構成を示す概略図である。
【図２】バッテリー電圧（Ｖ）の放電特性例を示す図である。
【図３】本発明の第２の実施形態による液晶テレビの一部構成を示す概略構成図である。
【図４】本発明の第２の実施形態の変形例による液晶テレビの一部構成を示す概略構成図である。
【図５】本発明の第３の実施形態による液晶テレビの一部構成を示す概略構成図である。
【図６】液晶のバックライト用ランプにおける、ランプの輝度及び放電開始電圧の典型的な温度特性を示す図である。
【図７】本発明の第４の実施形態による液晶テレビの一部構成を示す概略構成図である。
【図８】バッテリーの放電温度特性例を示す図である。
【図９】本発明の第５の実施形態による液晶テレビの一部構成を示す概略構成図である。
【図１０】本発明の第６の実施形態による液晶テレビの一部構成を示す概略構成図である。
【図１１】本発明の第７の実施形態による液晶テレビの一部構成を示す概略構成図である。
【図１２】特開平４−１５２７７６号公報に記載の液晶表示装置の構成を示すブロック図である。
【図１３】一般的なバッテリー駆動の液晶表示装置の構成例を示す機能ブロックと、駆動回路の動作概要を説明する図である。
【符号の説明】
１…バッテリー、３…レギュレータ回路、５…駆動回路、７…バックライト、１１…液晶表示部、１５，２６，３６，４６、５５、５６，６５，６６，６７、７５、…スイッチ、２７…電圧検出回路、３３…電流検出回路、３５…温度モニタ、３７…マイコン、３９…ＡＣアダプタ。
【図１】
2004260931.tif 000003
【図２】
2004260931.tif 000004
【図３】
2004260931.tif 000005
【図４】
2004260931.tif 000006
【図５】
2004260931.tif 000007
【図６】
2004260931.tif 000008
【図７】
2004260931.tif 000009
【図８】
2004260931.tif 000010
【図９】
2004260931.tif 000011
【図１０】
2004260931.tif 000012
【図１１】
2004260931.tif 000013
【図１２】
2004260931.tif 000014
【図１３】
2004260931.tif 000015